(57)【要約】【課題】頻繁なサーモＯＦＦによる室温のハンチングを防ぎながら、部屋の空調負荷が変動した場合にも速やかに対応可能な空気調和機を提供する。【解決手段】空気調和機は、室温と設定温度との温度差が第１閾値に到達すると圧縮機をサーモＯＦＦし、前記サーモＯＦＦ後に室温と設定温度との温度差が第２閾値に到達すると圧縮機をサーモＯＮする。空気調和機は、サーモＯＦＦ後の圧縮機の回転数規制制御として、サーモＯＦＦが発生した時点で圧縮機の回転数に上限値を設定し（Ｓ２）、サーモＯＦＦから第１所定時間の経過後（Ｓ３でＹＥＳ）に圧縮機の回転数の上限値の設定を解除する（Ｓ４）。【選択図】図３
2020029990.tif 000002
【特許請求の範囲】
【請求項１】
室温と設定温度との温度差が第１閾値に到達すると圧縮機をサーモＯＦＦし、前記サーモＯＦＦ後に室温と設定温度との温度差が第２閾値に到達すると圧縮機をサーモＯＮする空気調和機であって、
前記サーモＯＦＦが発生した時点で圧縮機の回転数に上限値を設定し、前記サーモＯＦＦから第１所定時間の経過後に前記上限値の設定を解除することを特徴とする空気調和機。
【請求項２】
室温と設定温度との温度差が第１閾値に到達すると圧縮機をサーモＯＦＦし、前記サーモＯＦＦ後に室温と設定温度との温度差が第２閾値に到達すると圧縮機をサーモＯＮする空気調和機であって、
前記サーモＯＦＦが発生した時点で圧縮機の回転数に上限値を設定し、前記サーモＯＦＦ後に室温と設定温度との温度差が前記第２閾値よりも大きい第３閾値以上になると前記上限値の設定を解除することを特徴とする空気調和機。
【請求項３】
室温と設定温度との温度差が第１閾値に到達すると圧縮機をサーモＯＦＦし、前記サーモＯＦＦ後に室温と設定温度との温度差が第２閾値に到達すると圧縮機をサーモＯＮする空気調和機であって、
前記サーモＯＦＦが発生した時点で圧縮機の回転数に上限値を設定し、前記サーモＯＦＦ後に室温と設定温度との温度差が前記第２閾値よりも大きい第３閾値以上になるか、もしくは、前記サーモＯＦＦから第１所定時間の経過後に前記上限値の設定を解除することを特徴とする空気調和機。
【請求項４】
請求項１から３の何れか１項に記載の空気調和機であって、
前記上限値は、外気温度に応じてその値を変更されるものであり、冷房時には、外気温度が低いほど前記上限値が低い値に設定され、暖房時には、外気温度が高いほど前記上限値が低い値に設定されることを特徴とする空気調和機。
【発明の詳細な説明】
【技術分野】
【０００１】
本発明は、空気調和機に関する。
【背景技術】
【０００２】
従来、空気調和機では、室温と設定温度との温度差に応じて圧縮機の回転数を変化させる運転制御が行われている。具体的には、室温と設定温度との温度差が大きい時には圧縮機の回転数を上げ、室温と設定温度との温度差が小さい時には圧縮機の回転数を下げる運転制御が行われる。このような制御は、室温と設定温度との温度差が大きい時は空気調和機の運転能力を上げることで室温を速やかに設定温度に近づけ、室温と設定温度との温度差が小さい時は空気調和機の運転能力を下げることで室温を設定温度付近で維持しようとするものである。
【０００３】
しかしながら、室温と設定温度との温度差に応じて圧縮機の回転数を変化させる制御のみでは、十分ではない場合がある。すなわち、室温が設定温度に近く、圧縮機の回転数を最も低く下げた場合であっても、空気調和機の能力が高すぎて室温が設定温度を超えて変動し続けてしまうことがある（例えば、冷房運転時に室温が設定温度よりも低い温度で下がり続ける）。
【０００４】
このような不具合を避けるための制御としてサーモＯＦＦがある。すなわち、圧縮機の回転数を最も低く下げた状態でも室温が設定温度を超えて変動し続ける場合には、圧縮機の運転を一旦停止（サーモＯＦＦ）することが行われる。
【０００５】
特許文献１には、サーモＯＦＦから圧縮機が再び運転を開始（サーモＯＮ）した後、所定の時間が経過するまでは、圧縮機の運転周波数が所定の周波数を超えないように制限を設けることが開示されている。このようなサーモＯＦＦ復帰後の圧縮機の運転周波数（回転数）の制限は、サーモＯＦＦが短時間に繰り返し発生して、室温のハンチングが生じることを防止するために行われている。
【０００６】
すなわち、サーモＯＦＦによって圧縮機を一旦停止すると、一定時間（約３分）は圧縮機の信頼性確保のため圧縮機を再起動できない。圧縮機停止中は室温と設定室温との温度差は大きくなっていくため、上記一定時間経過後のサーモＯＮ時には温度差に応じた圧縮機の回転数が大きくなりすぎている場合がある。この時に圧縮機の回転数を規制することで、室温の変化スピードを和らげることができ、再びサーモＯＦＦが生じるまでのサーモＯＮ時間を長くすることができる。
【先行技術文献】
【特許文献】
【０００７】
【特許文献１】特許第０４４１５８１７号公報
【発明の概要】
【発明が解決しようとする課題】
【０００８】
しかしながら、上記特許文献１の制御では、サーモＯＦＦ復帰後の圧縮機の回転数規制中は部屋の空調負荷に応じた運転が行えない。すなわち、圧縮機の回転数規制中は、部屋への人の出入りや窓の開け閉めなどで空調負荷が増加しても、この変化に速やかに対応できなくなるといった課題がある。
【０００９】
特に、断熱性能の良い部屋では、サーモＯＦＦ時間が長く、室温と設定温度との温度差も徐々に大きくなっていくため、サーモＯＮ時の温度差に応じた回転数も高くなりすぎていることはなく、圧縮機の回転数規制の必要性も低い。この場合、圧縮機の回転数の規制時間が必要以上に長くなってしまい、この間は、空調負荷の変動に対する冷暖房能力の対応が遅くなる。
【００１０】
本発明は、上記課題に鑑みてなされたものであり、頻繁なサーモＯＦＦによる室温のハンチングを防ぎながら、部屋の空調負荷が変動した場合にも速やかに対応可能な空気調和機を提供することを目的とする。
【課題を解決するための手段】
【００１１】
上記の課題を解決するために、本発明の第１の態様である空気調和機は、室温と設定温度との温度差が第１閾値に到達すると圧縮機をサーモＯＦＦし、前記サーモＯＦＦ後に室温と設定温度との温度差が第２閾値に到達すると圧縮機をサーモＯＮする空気調和機であって、前記サーモＯＦＦが発生した時点で圧縮機の回転数に上限値を設定し、前記サーモＯＦＦから第１所定時間の経過後に前記上限値の設定を解除することを特徴としている。
【００１２】
上記の構成によれば、サーモＯＦＦ後の回転数規制制御をサーモＯＦＦから第１所定時間が経過するまで行うことで、サーモＯＮ後の回転数規制制御を受ける時間が空気調和機の使用環境に応じて変化し、空気調和機の使用環境に応じた適切な制御が可能となる。例えば、サーモＯＦＦ後の室温変動が大きくサーモＯＮまでの時間が短くなるような環境では、サーモＯＮ後の回転数規制制御を受ける時間を長くし、室温のハンチング防止を重視した運転を行うことができる。一方で、サーモＯＦＦ後の室温変動が小さくサーモＯＮまでの時間が長くなるような環境では、サーモＯＮ後の回転数規制制御を受ける時間を短くし、部屋の空調負荷の変動への対応性を高めた運転を行うことができる。
【００１３】
上記の課題を解決するために、本発明の第２の態様である空気調和機は、室温と設定温度との温度差が第１閾値に到達すると圧縮機をサーモＯＦＦし、前記サーモＯＦＦ後に室温と設定温度との温度差が第２閾値に到達すると圧縮機をサーモＯＮする空気調和機であって、前記サーモＯＦＦが発生した時点で圧縮機の回転数に上限値を設定し、前記サーモＯＦＦ後に室温と設定温度との温度差が前記第２閾値よりも大きい第３閾値以上になると前記上限値の設定を解除することを特徴としている。
【００１４】
上記の構成によれば、サーモＯＮ後に空調負荷の大きな変動が無く、室温と設定温度との温度差が第３閾値を超えない限りは、圧縮機の回転数に上限値を設定することで、室温のハンチング防止を重視した運転を行うことができる。一方で、サーモＯＮ後に空調負荷の大きな変動が生じ、室温と設定温度との温度差が第３閾値を超えた場合には、圧縮機の回転数の上限値を解除することで、部屋の空調負荷の変動にも対応できる。
【００１５】
上記の課題を解決するために、本発明の第３の態様である空気調和機は、室温と設定温度との温度差が第１閾値に到達すると圧縮機をサーモＯＦＦし、前記サーモＯＦＦ後に室温と設定温度との温度差が第２閾値に到達すると圧縮機をサーモＯＮする空気調和機であって、前記サーモＯＦＦが発生した時点で圧縮機の回転数に上限値を設定し、前記サーモＯＦＦ後に室温と設定温度との温度差が前記第２閾値よりも大きい第３閾値以上になるか、もしくは、前記サーモＯＦＦから第１所定時間の経過後に前記上限値の設定を解除することを特徴としている。
【００１６】
上記の構成によれば、サーモＯＮ後に空調負荷の大きな変動が生じ、室温と設定温度との温度差が第３閾値を超えた場合には、圧縮機の回転数の上限値を解除することで、部屋の空調負荷の変動に対応できる。一方で、室温と設定温度との温度差が第３閾値を超えることが無くても、サーモＯＦＦから第１所定時間が経過すれば上限値設定が解除されるため、その後は空調負荷の変動への応答性を向上させることができる。
【００１７】
また、上記空気調和機では、前記上限値は、外気温度に応じてその値を変更されるものであり、冷房時には、外気温度が低いほど前記上限値が低い値に設定され、暖房時には、外気温度が高いほど前記上限値が低い値に設定される構成とすることができる。
【００１８】
上記の構成によれば、サーモＯＦＦが発生しやすい状態ほど回転数の上限値が低い値に設定され、圧縮機の回転数規制が強まるため、頻繁なサーモＯＦＦの発生を抑制することができる。また、サーモＯＦＦが発生しにくい状態では、圧縮機の回転数規制が弱められ、空調負荷の変動への応答性を向上させることができる。
【発明の効果】
【００１９】
本発明の空気調和機は、頻繁なサーモＯＦＦによる室温のハンチングを防ぎながら、部屋の空調負荷が変動した場合にも速やかに対応可能になるといった効果を奏する。
【図面の簡単な説明】
【００２０】
【図１】実施の形態１に係る空気調和機の概略構成図である。
【図２】実施の形態１に係る空気調和機の制御系を示すブロック図である。
【図３】実施の形態１に係る空気調和機の回転数規制制御を示すフローチャートである。
【図４】実施の形態２に係る空気調和機の回転数規制制御を示すフローチャートである。
【図５】実施の形態３に係る空気調和機の回転数規制制御を示すフローチャートである。
【発明を実施するための形態】
【００２１】
〔実施の形態１〕
以下、本発明の実施の形態１について、図面を参照して詳細に説明する。図１は、本実施の形態１に係る空気調和機１０の概略構成図であり、空気調和機１０において適用される冷凍サイクルを示している。
【００２２】
空気調和機１０は、室内ユニット１００および室外ユニット１１０により構成されている。空気調和機１０における冷凍サイクルの経路上には、室内ユニット１００側に室内熱交換器１０１が備えられており、室外ユニット１１０側に圧縮機１１１、室外熱交換器１１２、四方弁１１３および膨張弁１１４が備えられている。また、室内ユニット１００には、室内熱交換器１０１で熱交換された空気を室内に送り出すための室内ファン１０２が備えられており、室外ユニット１１０には、室外熱交換器１１２に空気を送るための室外ファン１１５が備えられている。
【００２３】
四方弁１１３は、空気調和機１０の暖房／冷房運転に応じて、冷媒の循環の向きを切り替えるものである（図１は暖房運転時の状態を示している）。暖房運転時には、圧縮機１１１、四方弁１１３、室内熱交換器１０１、膨張弁１１４、室外熱交換器１１２、四方弁１１３、圧縮機１１１の順で冷媒が循環する。すなわち、暖房運転時には、室内熱交換器１０１が凝縮器、室外熱交換器１１２が蒸発器として機能する。
【００２４】
一方、冷房運転時には、圧縮機１１１、四方弁１１３、室外熱交換器１１２、膨張弁１１４、室内熱交換器１０１、四方弁１１３、圧縮機１１１の順で冷媒が循環する。すなわち、冷房運転時には、室外熱交換器１１２が凝縮器、室内熱交換器１０１が蒸発器として機能する。
【００２５】
さらに、空気調和機１０は、室内熱交換器１０１付近に室温センサ１２１を有している。室温センサ１２１は、室内熱交換器１０１における吸込空気の温度を室温として検出する。尚、空気調和機１０は、室温センサ１２１以外にも、空気調和機１０の制御に用いるための各種センサを有しているが、ここでは後述する外気温センサ１２２以外のセンサについての図示および説明を省略する。外気温センサ１２２は、室外熱交換器１１２付近に配置され、室外熱交換器１１２における吸込空気の温度を外気温度として検出する。
【００２６】
図２は、空気調和機１０の制御系を示すブロック図である。但し、図２では、室温に基づく圧縮機１１１の回転数制御に関する構成のみを示している。空気調和機１０は、制御部２０によって圧縮機１１１の回転数制御を行っており、制御部２０は、主制御部２０１、タイマー２０２および温度差−回転数テーブル２０３を具備している。また、主制御部２０１は、圧縮機１１１および室温センサ１２１とも接続されている。
【００２７】
空気調和機１０は、圧縮機１１１の基本制御として、室温と設定温度との温度差に応じて圧縮機の回転数を変化させる運転制御を行っている。この運転制御では、室温センサ１２１にて検出される現在の室温が主制御部２０１に入力され、主制御部２０１は室温と設定温度との温度差を求める。さらに、主制御部２０１は、この温度差を温度差−回転数テーブル２０３への入力パラメータとして圧縮機１１１の要求回転数を求め、圧縮機１１１の回転数が要求回転数となるように圧縮機１１１を制御する。すなわち、温度差−回転数テーブル２０３には、室温と設定温度との温度差と、圧縮機１１１の要求回転数とが対応付けて格納されている。
【００２８】
温度差−回転数テーブル２０３を用いた上記運転制御により、空気調和機１０では、室温と設定温度との温度差が大きい時は空気調和機の運転能力を上げることで室温を速やかに設定温度に近づけ、室温と設定温度との温度差が小さい時は空気調和機の運転能力を下げることで室温が設定温度付近で維持される。
【００２９】
さらに、空気調和機１０は、室温が設定温度に近く、圧縮機１１１の回転数を最も低く下げた場合であっても、空気調和機の能力が高すぎて室温が設定温度を超えて変動し続けてしまう場合には、圧縮機１１１の運転を一旦停止（サーモＯＦＦ）させる制御も行うようになっている。
【００３０】
すなわち、空気調和機１０は、室温が設定温度を超えて変動し続けるような場合、室温と設定温度との温度差を第１閾値と比較し、該温度差が第１閾値に到達すると圧縮機１１１を一旦停止（サーモＯＦＦ）させる。具体的には、冷房運転時には、室温が設定温度よりも低い温度で下がり続けており、かつ、室温と設定温度との温度差が第１閾値に到達した時点で圧縮機１１１をサーモＯＦＦさせる。一方、暖房運転時には、室温が設定温度よりも高い温度で上がり続けており、かつ、室温と設定温度との温度差が第１閾値に到達した時点で圧縮機１１１をサーモＯＦＦさせる。
【００３１】
圧縮機１１１のサーモＯＦＦ後は、室温が設定温度をサーモＯＦＦ時とは逆方向に超えて変動し続けるような場合、室温と設定温度との温度差を第２閾値と比較し、該温度差が第２閾値に到達すると圧縮機１１１の運転を再開（サーモＯＮ）させる。具体的には、冷房運転時には、室温が設定温度よりも高い温度で上がり続けている状態で、かつ、室温と設定温度との温度差が第２閾値に到達すると圧縮機１１１をサーモＯＮさせる。一方、暖房運転時には、室温が設定温度よりも低い温度で下がり続けている状態で、かつ、室温と設定温度との温度差が第２閾値に到達すると圧縮機１１１をサーモＯＮさせる。
【００３２】
但し、圧縮機１１１のサーモＯＮに関しては、温度差が第２閾値に到達すると同時に実施されるとは限らない。これは、圧縮機１１１の運転停止後は、信頼性確保のため一定の運転禁止期間（約３分）が設けられるためである。すなわち、サーモＯＦＦによって圧縮機１１１の運転が停止された後は、上記運転禁止期間が経過するまで圧縮機１１１をサーモＯＮすることはできない。このため、圧縮機１１１のサーモＯＦＦ後の運転禁止期間中に、室温と設定温度との温度差が第２閾値に到達した場合は、上記運転禁止期間が経過するのを待って圧縮機１１１がサーモＯＮされる。この場合は、圧縮機１１１がサーモＯＮされた時点で、室温と設定温度との温度差が第２閾値を超えてしまっていることもあり得る。
【００３３】
続いて、本実施の形態１に係る空気調和機１０の特徴である、サーモＯＦＦ後の圧縮機１１１の回転数規制制御について、図３のフローチャートを参照して説明する。
【００３４】
この回転数規制制御では、圧縮機１１１のサーモＯＦＦが実施されたか否かが判定され（Ｓ１）、サーモＯＦＦが実施された場合には（Ｓ１でＹＥＳ）、サーモＯＦＦの実施と同時に圧縮機１１１の回転数に上限値が設定される（Ｓ２）。この回転数上限値は、サーモＯＦＦから第１所定時間（例えば３０分）の間だけ設定されるものである。このため、主制御部２０１は、タイマー２０２によってサーモＯＦＦからの経過時間を測定し、サーモＯＦＦから第１所定時間が経過すると（Ｓ３でＹＥＳ）、圧縮機１１１の回転数の上限値設定を解除する（Ｓ４）。
【００３５】
この回転数規制制御は、圧縮機１１１のサーモＯＮとは独立して実施されるものである。すなわち、圧縮機１１１のサーモＯＮは、通常は、サーモＯＦＦから第１所定時間が経過するまでの任意のタイミングで生じることとなる。第１所定時間の経過前にサーモＯＮが生じた場合、サーモＯＮ後もしばらくは回転数規制制御が継続されている。この回転数規制制御の継続中は、温度差−回転数テーブル２０３から求められる要求回転数が回転数規制制御によって設定される上限値を超える場合であっても、圧縮機１１１はこの上限値にて運転制御されるように回転数が規制される。
【００３６】
本実施の形態１に係る空気調和機１０では、圧縮機１１１の回転数規制制御により、サーモＯＮ直後の空気調和機１０の運転能力が抑えられ、室温の変動（冷房時には室温低下、暖房時には室温上昇）も緩やかとなる。このため、サーモＯＮ後に再び短時間でサーモＯＦＦが生じることを回避し、室温のハンチングが生じることを防止でき、ユーザにとっての快適性が向上する。また、短時間にサーモＯＦＦとサーモＯＮとが繰り返される運転は、空気調和機１０の消費電力の増大に繋がるため、本実施の形態１に係る空気調和機１０は省エネ性にも優れたものとなる。
【００３７】
一方で、圧縮機１１１のサーモＯＦＦから再びサーモＯＮするまでの時間は、空気調和機１０の使用環境、特に部屋の断熱性に大きく依存する。例えば、部屋の断熱性が低い場合は、サーモＯＦＦ後の室温変動は大きく、サーモＯＮまでの時間も短くなるため、サーモＯＮ後の回転数規制制御を受ける時間は長くなる。逆に、部屋の断熱性が高い場合は、サーモＯＦＦ後の室温変動は小さく、サーモＯＮまでの時間も長くなるため、サーモＯＮ後の回転数規制制御を受ける時間は短くなる。
【００３８】
このように、本実施の形態１に係る空気調和機１０は、サーモＯＦＦ後に上述の回転数規制制御を行うことで、サーモＯＮ後の回転数規制制御を受ける時間を可変とすることができ、空気調和機１０の使用環境に応じた適切な制御が可能となる。具体的には、サーモＯＦＦ後の室温変動が大きくサーモＯＮまでの時間が短くなるような環境では、サーモＯＮ後の回転数規制制御を受ける時間を長くし、室温のハンチング防止を重視した運転を行うことができる。一方で、サーモＯＦＦ後の室温変動が小さくサーモＯＮまでの時間が長くなるような環境では、サーモＯＮ後の回転数規制制御を受ける時間を短くし、部屋の空調負荷の変動への対応性を高めた運転を行うことができる。
【００３９】
〔実施の形態２〕
以下、本発明の実施の形態２について、図面を参照して詳細に説明する。図４は、本実施の形態２に係る空気調和機１０の回転数規制制御を示すフローチャートである。
【００４０】
この回転数規制制御では、圧縮機１１１のサーモＯＦＦが実施されたか否かが判定され（Ｓ１）、サーモＯＦＦが実施された場合には（Ｓ１でＹＥＳ）、サーモＯＦＦの実施と同時に圧縮機１１１の回転数に上限値が設定される（Ｓ２）。Ｓ１およびＳ２のステップは、実施の形態１における回転数規制制御と同じである。
【００４１】
サーモＯＦＦ後は、主制御部２０１は室温と設定温度との温度差を第３閾値と比較し、該温度差が第３閾値以上になると（Ｓ３’でＹＥＳ）、圧縮機１１１の回転数の上限値設定を解除する（Ｓ４）。具体的には、冷房運転時には、室温が設定温度よりも高い温度であり、かつ、室温と設定温度との温度差が第３閾値に到達すると圧縮機１１１の回転数の上限値設定を解除する。一方、暖房運転時には、室温が設定温度よりも低い温度であり、かつ、室温と設定温度との温度差が第３閾値に到達すると圧縮機１１１の回転数の上限値設定を解除する。
【００４２】
ここで、第３閾値は、サーモＯＮ判定に使用される第２閾値よりも高い値に設定される。すなわち、この回転数規制制御においては、Ｓ４で圧縮機１１１の回転数の上限値設定が解除された時点では、空気調和機１０は既にサーモＯＮしている。そして、空気調和機１０が既にサーモＯＮしているにも関わらずＳ３’でのＹＥＳ判定が生じる場合とは、例えば、部屋への人の出入りや窓の開け閉めなどで空調負荷が大きく変動した場合であると考えられる。
【００４３】
このように、本実施の形態１に係る空気調和機１０は、サーモＯＦＦ後に上述の回転数規制制御を行うことで、サーモＯＮ後に空調負荷の大きな変動が無く、室温と設定温度との温度差が第３閾値を超えない限りは、圧縮機１１１の回転数に上限値を設定することで、室温のハンチング防止を重視した運転を行うことができる。一方で、サーモＯＮ後に空調負荷の大きな変動が生じ、室温と設定温度との温度差が第３閾値を超えた場合には、圧縮機１１１の回転数の上限値を解除することで、部屋の空調負荷の変動にも対応できる。
【００４４】
〔実施の形態３〕
以下、本発明の実施の形態３について、図面を参照して詳細に説明する。図５は、本実施の形態３に係る空気調和機１０の回転数規制制御を示すフローチャートである。本実施の形態３に係る回転数規制制御は、実施の形態１および２の回転数規制制御を組み合わせたものである。
【００４５】
この回転数規制制御では、圧縮機１１１のサーモＯＦＦが実施されたか否かが判定され（Ｓ１）、サーモＯＦＦが実施された場合には（Ｓ１でＹＥＳ）、サーモＯＦＦの実施と同時に圧縮機１１１の回転数に上限値が設定される（Ｓ２）。Ｓ１およびＳ２のステップは、実施の形態１および２における回転数規制制御と同じである。
【００４６】
サーモＯＦＦ後は、主制御部２０１は、サーモＯＦＦから第１所定時間が経過したか否かを判定するステップ（Ｓ３）と、室温と設定温度との温度差が第３閾値以上となったか否かを判定するステップ（Ｓ３’）との両方を行う。そして、Ｓ３およびＳ３’の両方がＮＯ判定の間は圧縮機１１１の回転数の上限値設定を継続し、Ｓ３およびＳ３’の何れか一方がＹＥＳ判定となった時に圧縮機１１１の回転数の上限値設定を解除する（Ｓ４）。
【００４７】
このように、本実施の形態３に係る空気調和機１０は、実施の形態１および２の回転数規制制御を組み合わせることで両方のメリットを享受できる。まず、サーモＯＮ後に空調負荷の大きな変動が生じ、室温と設定温度との温度差が第３閾値を超えた場合には、圧縮機１１１の回転数の上限値を解除することで、部屋の空調負荷の変動に対応できる。
【００４８】
但し、サーモＯＮ後に空調負荷の変動が生じても、室温と設定温度との温度差が第３閾値を超えるとは限らない。このため、実施の形態２の回転数規制制御のみでは、室温と設定温度との温度差が第３閾値を超えることが無く、圧縮機１１１の回転数の上限値設定がいつまでも解除されないことも起こり得る。この場合、温度差−回転数テーブル２０３から圧縮機１１１の要求回転数を求め、圧縮機１１１の回転数が要求回転数となるように圧縮機１１１を制御するといった基本制御に移行できず、空調負荷の変動（温度差が第３閾値を超えない程度の比較的小さな空調負荷の変動）への応答性が低下したままで運転が継続される。
【００４９】
本実施の形態３の回転数規制制御では、室温と設定温度との温度差が第３閾値を超えることが無くても、サーモＯＦＦから第１所定時間が経過すれば上限値設定が解除されるため、その後は空調負荷の変動への応答性が向上する。
【００５０】
〔実施の形態４〕
上記実施の形態１〜３に係る回転数規制制御では、サーモＯＦＦの実施と同時に圧縮機１１１の回転数に上限値を設定している。本実施の形態４は、この回転数の上限値を外気温度により変更することを特徴とする。
【００５１】
空気調和機１０の暖房／冷房効率は外気温度に大きな影響を受ける。具体的には、冷房時は外気温度が高いほど冷房効率は低下し、暖房時は外気温度が低いほど暖房効率は低下する。このため、冷房時を例にとれば、外気温度が低いほど空気調和機１０の運転能力が相対的に高いものとなり、サーモＯＦＦが発生しやすい状態となる。逆に、暖房時では、外気温度が高いほど、サーモＯＦＦが発生しやすい状態となる。
【００５２】
本実施の形態４に係る回転数規制制御では、冷房時には、外気温度が低いほど回転数の上限値を低い値に設定し、外気温度が高いほど回転数の上限値を高い値に設定する。一方、暖房時には、外気温度が高いほど回転数の上限値を低い値に設定し、外気温度が低いほど回転数の上限値を高い値に設定する。これにより、サーモＯＦＦが発生しやすい状態ほど回転数の上限値が低い値に設定され、圧縮機１１１の回転数規制が強まるため、頻繁なサーモＯＦＦの発生を抑制することができる。また、サーモＯＦＦが発生しにくい状態では、圧縮機１１１の回転数規制が弱められ、空調負荷の変動への応答性が向上する。
【００５３】
尚、本実施の形態４に係る回転数規制制御を行う場合、外気温度は室外ユニット１１０に備えられる外気温センサ１２２（図１参照）によって検出され、主制御部２０１に入力される。
【００５４】
今回開示した実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００５５】
１０      空気調和機
１００    室内ユニット
１０１    室内熱交換器
１０２    室内ファン
１１０    室外ユニット
１１１    圧縮機
１１２    室外熱交換器
１１３    四方弁
１１４    膨張弁
１１５    室外ファン
１２１    室温センサ
１２２    外気温センサ
２０      制御部
２０１    主制御部
２０２    タイマー
２０３    温度差−回転数テーブル
【図１】
2020029990.tif 000003
【図２】
2020029990.tif 000004
【図３】
2020029990.tif 000005
【図４】
2020029990.tif 000006
【図５】
2020029990.tif 000007